(57)【要約】【課題】本発明は、同軸ケーブル用のケーブルコネクタに関し、同軸ケーブルの外部導体をシールド用のシェルに電気的に導通させる、グランドバーの固定状態を安定させることが課題である。【解決手段】同軸ケーブルがコンタクトに接続されるとともに、該同軸ケーブルのシールド用の外部導体が当該同軸ケーブルに横架される平板状のグランドバーに半田付けされ、コネクタハウジングに固定されて該コネクタハウジングを上下から囲繞する金属製の上シェルと下シェルとに前記グランドバーが電気的に導通されるケーブルコネクタにおいて、前記上下シェルの少なくとも一方のシェル本体部に、前記グランドバーの同軸ケーブルの心線方向に沿った方向への後退を防止するように、当該グランドバーの後端面に当接する支持手段が設けられているケーブルコネクタ１である。【選択図】図１
2006107992.tif 000002
【特許請求の範囲】
【請求項１】
同軸ケーブルがコンタクトに接続されるとともに、該同軸ケーブルのシールド用の外部導体が当該同軸ケーブルに横架される平板状のグランドバーに半田付けされ、コネクタハウジングに固定されて該コネクタハウジングを上下から囲繞する金属製の上シェルと下シェルとに前記グランドバーが電気的に導通されるケーブルコネクタにおいて、
前記上下シェルの少なくとも一方のシェル本体部に、前記グランドバーの同軸ケーブルの心線方向に沿った方向への後退を防止するように、当該グランドバーの後端面に当接する支持手段が設けられていること、
を特徴とするケーブルコネクタ。
【請求項２】
支持手段は、グランドバーに半田付けされる押圧片を縁部から延設し屈曲させて形成している切欠き部において、該押圧片に対向させて支持片を縁部から突設されてなること、
を特徴とする請求項１に記載のケーブルコネクタ。
【発明の詳細な説明】
【技術分野】
【０００１】
本発明は、例えば、極細線の同軸ケーブルを接続するケーブルコネクタに関するものである。
【背景技術】
【０００２】
従来、例えば、図７に示すように、携帯電話等の電機機器においてプリント基板上の回路と電子部品とを接続するケーブル２は、ノイズ対策のために、極細線の同軸ケーブル２を使用している。そして、複数本の同軸ケーブル２をケーブルコネクタ１１に接続すると共に、合成樹脂製のハウジング本体１ａを金属製シェル４，５で被覆し、該両シェル４，５に同軸ケーブル２の外部導体をハンダ付けしてシールドしている。
【０００３】
そして、前記同軸ケーブル２の外部導体は、図８及び図９に示すように、当該複数本の同軸ケーブル２を横架する平板状のグランドバー７にハンダ６でハンダ付けされる。このグランドバー７が、前記金属製シェル４，５の本体部４ｅに設けられハンダ付け部を形成する押圧片４ｊ等を介してハンダ付けされ、電気的に接続されるものが知られている（特許文献１参照）。
【特許文献１】特開２００２−８７６５号公報
【発明の開示】
【発明が解決しようとする課題】
【０００４】
しかし、従来のケーブルコネクタ１１では、前記グランドバー７がその左右端部でハウジング本体１ａの一部に当接して支持されるようになっているが、該グランドバー７の中央部では、前記シェル４，５の押圧片４ｊ，５ｆとのハンダ付けにより支持されている。よって、同軸ケーブル２をその長手方向に沿って引っ張ると、グランドバー７の中央部の支持力が強度的に弱く、後方に撓んでしまうおそれがある。本発明のケーブルコネクタは、このような課題を解決するために提案されたものである。
【課題を解決するための手段】
【０００５】
本発明に係るケーブルコネクタの上記課題を解決して目的を達成するための要旨は、同軸ケーブルがコンタクトに接続されるとともに、該同軸ケーブルのシールド用の外部導体が当該同軸ケーブルに横架される平板状のグランドバーに半田付けされ、コネクタハウジングに固定されて該コネクタハウジングを上下から囲繞する金属製の上シェルと下シェルとに前記グランドバーが電気的に導通されるケーブルコネクタにおいて、前記上下シェルの少なくとも一方のシェル本体部に、前記グランドバーの同軸ケーブルの心線方向に沿った方向への後退を防止するように、当該グランドバーの後端面に当接する支持手段が設けられていることである。
【０００６】
前記支持手段は、グランドバーに半田付けされる押圧片を縁部から延設し屈曲させて形成している切欠き部において、該押圧片に対向させて支持片を縁部から突設されてなることを含むものである。
【発明の効果】
【０００７】
本発明のケーブルコネクタによれば、同軸ケーブルの外部導体を金属製シェルに電気的に導通させるための、グランドバーが複数本の同軸ケーブルの外部導体に横架してハンダ付けされるだけでなく、前記支持手段によって、同軸ケーブルの心線方向に沿った後退方向へグランドバーが引っ張られてもその移動が阻止され、位置固定力が補強される。よって、当該グランドバーの変形も防止されるようになる。
また、前記支持手段を、シェル本体部の切欠き部において形成される押圧片と対向して当該切欠き部に形成することで、シェルの切断加工時において当該シェル本体部に容易に形成することができる。
【発明を実施するための最良の形態】
【０００８】
本発明に係るケーブルコネクタ（以下、単にコネクタ）１は、図１に示すように、極細線（例えば、外径０．３ｍｍ程度）の同軸ケーブル２がコンタクト３（図８参照）に接続されるとともに、該同軸ケーブル２のシールド用の外部導体がコネクタハウジングを上下から囲繞してシールドする金属製の上シェル４と下シェル５とに導通されている。
【０００９】
そして、図１乃至図２に示すように、このコネクタ１の組立においては、同軸ケーブル２の端部の心線がコンタクトにハンダ付けされる。複数本の同軸ケーブル２の外部導体を横架して半田付けされている金属製板状のグランドバー７が、下シェル５に載置され半田付けして固定される。その後に、コネクタ１の添付品にされている前記上シェル４がコネクタハウジング１ａに装着される。この上シェル４の一部と前記グランドバー７の一部とが半田付けされ、当該上シェル５がコネクタ１に固定される。
【００１０】
そして、前記上・下シェル４，５のシェル本体部４ｅ，５ａに、前記グランドバー７の同軸ケーブル２の心線方向に沿った方向への後退を防止するように、当該グランドバー７の後端面に当接する支持手段である平板状の支持片４ｉ，５ｅが設けられている。
【００１１】
前記支持片４ｉ，５ｅは、シェル本体部４ｅ，５ａの後方端部において、図８に示すように、本体部よりも一段下げて同軸ケーブル２を挟むように屈曲させたケーブル挟装部４ｃ，５ｇに設けられる。例えば、前記グランドバー７に半田付けされる押圧片４ｊ，５ｆを縁部から延設し屈曲させて形成している切欠き部において、図２に示すように、該押圧片４ｊ，５ｇに対向させて支持片４ｉ，５ｅを縁部から突設されてなるものである。
【００１２】
前記支持片４ｉ，５ｅは、金型において前記押圧片４ｊ，５ｆの切断加工時に同時に若しくは次工程で形成されるものである。
【００１３】
前記上シェル４と下シェル５とを、図３乃至図５に示す。この上シェル４の、左右方向の両端部には、前記コネクタハウジング１ａの側壁部を下面にまで廻って囲繞する側壁部４ａ，４ｂが形成されており、該側壁部４ａ，４ｂには切欠き部がありその前後方向の端面４ｃ，４ｄが位置決めされている。
【００１４】
また、図３（Ａ），（Ｂ）と図４とに示すように、前記上シェル４の側壁部４ａ，４ｂの下端部から延設して底板部４ｆと、後方側の側壁部４ｇの下端部から延設して底板部４ｈとがあり、前記コネクタハウジング１ａの左右側壁部を囲繞するようにされている。
【００１５】
前記下シェル５には、図５に示すように、平板状のシェル本体部５ａの左右方向の両側壁部に、コネクタハウジング１ａの圧入孔に圧入される係合片５ｂが立設され、更に、この側壁部の後方に立設した起立部５ｃから水平に延設された係合ロック部５ｄがある。この係合ロック部５ｄが、嵌合相手の基板側コネクタのシェルの一部と係合して、ケーブルコネクタ１が前記基板側コネクタから抜け出さないように着脱自在に位置固定される。
【００１６】
このような本発明に係るコネクタ１により、コネクタハウジング１ａに固定される上・下シェル４，５が、グランドバー７を同軸ケーブル２の心線方向において位置固定する。図６に示すように、コネクタ１を基板側コネクタ２１に嵌合させて使用した場合、同軸ケーブル２が後方に引っ張られても、同軸ケーブル２の外部導体にハンダ付けされているグランドバー７の左右端部はコネクタハウジング１ａにより位置決めされ、また、図２（Ｂ）に示すように、その左右方向における中央部の後方端面７ａが上・下シェル４，５の支持片４ｉ，５ｅの端面に当接して支持され、このグランドバー７の中央部における支持力が補強されるので、撓むことがない。
【図面の簡単な説明】
【００１７】
【図１】本発明に係るケーブルコネクタ１の平面図である。
【図２】同本発明のケーブルコネクタ１における上下シェル４，５の切り欠き部の拡大平面図（Ａ）と、一部をＹ−Ｙ線に沿った断面にして示す側面図（Ｂ）である。
【図３】同ケーブルコネクタ１の上シェル４に係る、正面図（Ａ）と平面図（Ｂ）と底面図（Ｃ）と側面図（Ｄ）とである。
【図４】図３（Ｂ）中のＸ−Ｘ線に沿った断面図である。
【図５】同ケーブルコネクタ１の下シェル５に係る、正面図（Ａ）と底面図（Ｂ）と側面図（Ｃ）と、Ｚ−Ｚ線に沿った断面図（Ｄ）とである。
【図６】ケーブルコネクタ１の使用状態説明図である。
【図７】従来例に係るケーブルコネクタ１１の、平面図（Ａ）と正面図（Ｂ）と側面図（Ｃ）とである。
【図８】同ケーブルコネクタ１１の断面図である。
【図９】同ケーブルコネクタ１１における上・下シェル４，５の切り欠き部の拡大平面図（Ａ）と、一部をＷ−Ｗ線に沿った断面にして示す側面図（Ｂ）である。
【符号の説明】
【００１８】
１          ケーブルコネクタ、          １ａ        コネクタハウジング、
２          同軸ケーブル、              ２ａ        心線、
３          コンタクト、
４          上シェル、                  ４ａ，４ｂ  側壁部、
４ｃ        ケーブル挟装部、            ４ｄ        端面、                      ４ｅ        シェル本体部、              ４ｆ        底板部、                    ４ｇ        側壁部、                    ４ｈ        底板部、                    ４ｉ        支持片、                    ４ｊ        押圧片、  
５          下シェル、                  ５ａ        シェル本体部、
５ｂ        係合片、                    ５ｃ        起立部、
５ｄ        係合ロック部、              ５ｅ        支持片、
５ｆ        押圧片、                    ５ｇ        ケーブル挟装部、
６          ハンダ、
７          グランドバー、
１１        従来例に係るケーブルコネクタ、
２１        基板側コネクタ。
【図１】
2006107992.tif 000003
【図２】
2006107992.tif 000004
【図３】
2006107992.tif 000005
【図４】
2006107992.tif 000006
【図５】
2006107992.tif 000007
【図６】
2006107992.tif 000008
【図７】
2006107992.tif 000009
【図８】
2006107992.tif 000010
【図９】
2006107992.tif 000011